(57)【特許請求の範囲】
【請求項１】
複数のステップ軸と各ステップ軸に取り付けられるステップとを有するエスカレータにおいて保守作業に用いられるエスカレータ用作業箱であって、
保守作業に使用する工具を収納する収納部と、
ステップがステップ軸から取り外された状態で保守作業を行うときに、２本のステップ軸のそれぞれに収納部を取り付ける少なくとも２つの取付部材と、
を備えることを特徴とするエスカレータ用作業箱。
【請求項２】
請求項１に記載のエスカレータ用作業箱において、
エスカレータ用作業箱は、
作業員がその上面に乗ることができる程度の強度を有する材料で構成されていることを特徴とするエスカレータ用作業箱。
【請求項３】
請求項１または請求項２に記載のエスカレータ用作業箱において、
エスカレータ用作業箱を構成する材料は、ステンレスであることを特徴とするエスカレータ用作業箱。
【請求項４】
請求項１から請求項３のいずれか１に記載のエスカレータ用作業箱において、
収納部の開口を開閉する蓋部と、
蓋部と収納部とを連結する蝶番と、
収納部の開口を開いたときに蓋部をステップ軸に掛止させるための掛止部と、
を含むことを特徴とするエスカレータ用作業箱。
【請求項５】
請求項１から請求項３のいずれか１に記載のエスカレータ用作業箱において、
収納部の開口を開閉する蓋部であって、ステップ軸の軸方向にスライド可能に設けられる蓋部を含むことを特徴とするエスカレータ用作業箱。
【請求項６】
請求項５に記載のエスカレータ用作業箱において、
蓋部は、
二つの蓋部材に分割され相互にステップ軸の軸方向にスライド可能に設けられていることを特徴とするエスカレータ用作業箱。
【請求項７】
請求項５または請求項６に記載のエスカレータ用作業箱において、
蓋部は、
収納部においてステップの踏板床面と垂直となる側壁面のうち下層階側に配置される側壁面に設けられることを特徴とするエスカレータ用作業箱。
【請求項８】
請求項１から請求項７のいずれか１に記載のエスカレータ用作業箱において、
収納部は、
ステップの踏板床面と垂直方向へ取付部材の移動を案内する取付部材案内溝と、
エスカレータ用作業箱が取り付けられる２本のステップ軸のステップの踏板床面と垂直方向に沿った間隔の変化に応じて収納部の底面がステップの踏板床面と水平状態を保つように取付部材を移動させる制御部と、
を有することを特徴とするエスカレータ用作業箱。
【発明の詳細な説明】
【技術分野】
【０００１】
本発明は、エスカレータ用作業箱に係り、特に、ステップとステップ軸とが分離された状態で作業を行うときに、作業に必要な物を収納するエスカレータ用作業箱に関する。
【背景技術】
【０００２】
現在、商業施設等の様々な施設においてエスカレータが設置されている。エスカレータは、所定の期間ごとに定期的に点検する必要があり、様々な保守点検作業のうちステップを取り外し、保守作業員がステップの取り外された箇所からトラス内部に入り作業を行うことがある。このとき、保守作業に使用する工具をトラス内部に置いておくとそのまま置き忘れたりする可能性があるため、工具の置き場所に困ることがある。本発明に関連する技術として、特許文献１には、エスカレータのステップを取り外した際の開口部に敷設されるエスカレータ歩行用足場であって、足場本体と、足場本体を開口部に設けられているステップ軸に取り付けるための支持部とを含み、支持部は、足場本体の長手方向に対して取付位置を変更可能に設けられるものが開示されている。
【０００３】
【特許文献１】特開２００１−１３０８６１号公報
【発明の開示】
【発明が解決しようとする課題】
【０００４】
上記特許文献１のエスカレータ歩行用足場の足場本体部の上に保守作業用の工具を置くといった利用方法も考えられる。しかし、足場本体部の上に単に保守作業用の工具を置いただけでは、他の保守作業員がステップ上を移動する際に蹴飛ばす等して、トラス内部に工具が落ちてしまう可能性がある。
【０００５】
本発明の目的は、エスカレータの保守作業用の工具等をより好適に収納するためのエスカレータ用作業箱を提供することである。
【課題を解決するための手段】
【０００６】
本発明に係るエスカレータ用作業箱は、複数のステップ軸と各ステップ軸に取り付けられるステップとを有するエスカレータにおいて保守作業に用いられるエスカレータ用作業箱であって、保守作業に使用する工具を収納する収納部と、ステップがステップ軸から取り外された状態で保守作業を行うときに、２本のステップ軸のそれぞれに収納部を取り付ける少なくとも２つの取付部材とを備えることを特徴とする。
【０００７】
また、本発明に係るエスカレータ用作業箱において、エスカレータ用作業箱は、作業員がその上面に乗ることができる程度の強度を有する材料で構成されていることが好ましい。
【０００８】
また、本発明に係るエスカレータ用作業箱において、エスカレータ用作業箱を構成する材料は、ステンレスであることが好ましい。
【０００９】
また、本発明に係るエスカレータ用作業箱において、収納部の開口を開閉する蓋部と、蓋部と収納部とを連結する蝶番と、収納部の開口を開いたときに蓋部をステップ軸に掛止させるための掛止部とを含むことが好ましい。
【００１０】
また、本発明に係るエスカレータ用作業箱において、収納部の開口を開閉する蓋部であって、ステップ軸の軸方向にスライド可能に設けられる蓋部を含むことが好ましい。
【００１１】
また、本発明に係るエスカレータ用作業箱において、蓋部は、二つの蓋部材に分割され相互にステップ軸の軸方向にスライド可能に設けられていることが好ましい。
【００１２】
また、本発明に係るエスカレータ用作業箱において、蓋部は、収納部においてステップの踏板床面と垂直となる側壁面のうち下層階側に配置される側壁面に設けられることが好ましい。
【００１３】
また、本発明に係るエスカレータ用作業箱において、収納部は、ステップの踏板床面と垂直方向へ取付部材の移動を案内する取付部材案内溝と、エスカレータ用作業箱が取り付けられる２本のステップ軸のステップの踏板床面と垂直方向に沿った間隔の変化に応じて収納部の底面がステップの踏板床面と水平状態を保つように取付部材を移動させる制御部とを有することが好ましい。
【発明の効果】
【００１４】
上記構成のエスカレータによれば、収納部の開口から工具を内部に収納でき、蓋部によって開口を閉じることができる。これにより、他の保守作業員が工具を蹴飛ばしてしまうといった事態を防止することができ、エスカレータの保守作業用の工具等をより好適に収納することができる。
【００１５】
上記構成のステンレスを材料として構成されたエスカレータによれば、保守作業員がその上面に乗ることができる程度の強度を確保することができる。これにより、他の保守作業員がエスカレータを移動するときの足場としても利用することができる。
【００１６】
上記構成の二つの蓋部材に分割され相互にステップ軸の軸方向にスライド可能に設けられている蓋部を有するエスカレータによれば、工具をよりコンパクトな構成で収納することができる。
【発明を実施するための最良の形態】
【００１７】
以下に、本発明に係る実施の形態について添付図面を参照しながら詳細に説明する。なお、以下では、エスカレータ用作業箱を構成する材料はステンレスであるとして説明するが、作業員がその上面に乗ることができる程度の強度を有する材料であればよく、例えば、銅・鉄等であってもよい。また、この説明において、具体的な形状、材料、数値、方向等は、本発明の理解を容易にするための例示であって、用途、目的、仕様等にあわせて適宜変更することができる。
【００１８】
図１は、本発明の第１実施形態であるエスカレータ用作業箱２０を蓋部２２が閉じられた状態でエスカレータ１０に取り付けられている様子を示す図である。図２は、エスカレータ用作業箱２０を蓋部２２が開かれた状態でエスカレータ１０に取り付けられている様子を示す図である。エスカレータ１０は、ステップ８と、ステップ軸７，９と、ハンドレール４と、欄干６と、エスカレータ用作業箱２０とを含んで構成される。
【００１９】
ステップ８は、ステップ軸７，９に取り付けられ乗客が乗る踏板であり、無端状に連結されて回動する機能を有する。ハンドレール４は、乗客が手を添えまたは掴むことができるものであり、ステップ８と同期して回動する機能を有する。欄干６は、ハンドレール４の回動を案内し、ステップ８が移動する際に乗客の身体がエスカレータ１０の外に出ることを防止する機能を有する。
【００２０】
エスカレータ用作業箱２０は、保守作業に使用する工具を内部の収納スペースに収納する機能を有する。エスカレータ用作業箱２０は、収納部２４と蓋部２２とを含んで構成される。収納部２４は、上面側に開口２１を有し、工具を開口２１からその内部の収納スペースに収納することができる箱形状を有する。収納部２４は、ステップ軸７，９の軸方向の幅である横幅がステップ８よりもひとまわり小さく、上面視で横幅と垂直方向の関係にある縦幅が隣接するステップ軸７，９の間隔よりもひとまわり小さい。収納部２４は、ステンレスを材料として構成される。また、収納部２４を形成する側壁面のうち下層階側を向いた側壁面における上部には、下層階側のステップ軸７に取り付けられるフック形状の取付部材２８が設けられ、収納部２４の上層階側を向いた側壁面における上部には、上層階側のステップ軸９に取り付けられるフック形状の取付部材２６が設けられる。収納部２４は、保守作業に使用される工具を収納できる程度の深さを有する。
【００２１】
蓋部２２は、収納部２４の開口２１よりもひとまわり大きい大きさを有するステンレス製の板である。蓋部２２の先端は、開口２１を開くように蓋部２２を動かしたときに、隣接するステップ８に掛止するように上層階方向に曲げて形成される掛止部２３を有する。また、図２に示されるように、蓋部２２の裏面２１２と収納部２４の内側側面２１４との間に跨って蝶番２５が設けられ、これにより蓋部２２と収納部２４とが連結される。
【００２２】
続いて、上記構成からなるエスカレータ用作業箱２０の動作について説明する。エスカレータ１０は、所定の期間ごとに定期的に点検する必要があり、一部のステップ８を取り外し、保守作業員がステップ８の取り外された箇所からトラス内部に入って作業を行う。このときステップ８が取り外された箇所はステップ軸７，９が露出した状態となっている。そして、エスカレータ用作業箱２０の取付部材２６はステップ軸９に取り付けられ、取付部材２８はステップ軸７に取り付けられる。図２に示されるように開口２１が開かれるよう蓋部２２を動かすと、保守作業員は開口２１から収納部２４の内部に工具を収納することができる。それから、再び図１に示されるように開口２１が閉じられるよう蓋部２２を動かすと、収納部２４に収納された工具を他の保守作業員が蹴飛ばすこともなく、また、収納部２４から飛び出してトラス内部に落ちてしまうことも防止することができる。また、エスカレータ用作業箱２０は、ステンレスで構成され適当な強度を有しているから、蓋部２２が閉じられた状態では他の保守作業員が足場として利用することができる。さらに、収納部２４に収納した工具が必要となった場合には、再び蓋部２２を図２に示されるように開いて取り出すことができる。
【００２３】
なお、上記では１つのエスカレータ用作業箱２０がステップ軸に取り付けられるものとして説明したが、ステップ８が複数取り外されている場合には複数のエスカレータ用作業箱２０を取り付けてもよく、またエスカレータ用作業箱２０の横幅を小さいものとして、千鳥状で複数のステップ軸に取り付けられてもよい。これにより、エスカレータ用作業箱２０はエスカレータ１０の足場として利用することができる。
【００２４】
次に、図３を参照して本発明の第２実施形態であるエスカレータ用作業箱１２０について説明する。図３は、本発明の第２実施形態であるエスカレータ用作業箱１２０の斜視図である。ここで、エスカレータ用作業箱１２０は、上記第１実施形態のエスカレータ用作業箱２０とほぼ同様の構成を有するため、同一構成要素には同一符号を付して重複することとなる説明を援用によって省略し、異なる構成およびその作用について説明する。エスカレータ用作業箱１２０は、蓋部１２１についてのみ相違するため、以下では、特に、蓋部１２１ついて詳細な説明を行う。
【００２５】
蓋部１２１は、上側蓋１２２と下側蓋１２３と枠部１２４と上側案内溝１２５と下側案内溝１２７とを含んで構成される。上側蓋１２２と下側蓋１２３は、蓋部１２１の上面側に設けられる開口２１１の半分の大きさを有する。また、上側案内溝１２５と下側案内溝１２７は、上側蓋１２２と下側蓋１２３とが相互にスライド可能なように蓋部１２１の長手方向に沿って設けられる。
【００２６】
続いて、上記構成からなるエスカレータ用作業箱１２０の動作について図１と図３を参照して説明する。エスカレータ１０の保守作業において、図１に示されるエスカレータ用作業箱２０の代わりにエスカレータ用作業箱１２０を取り付ける。具体的には、一部のステップ８を取り外してステップ軸７，９が露出した状態となり、エスカレータ用作業箱１２０の取付部材２６はステップ軸９に取り付けられ、取付部材２８はステップ軸７に取り付けられる。そして、蓋部１２１の下側蓋１２３をスライドすることで、保守作業員は開口２１１から収納部２４の内部に工具を収納することができる。それから、再び蓋部１２１の下側蓋１２３を反対側にスライドさせると開口２１１を閉じることができるため、エスカレータ１０の保守作業用の工具等を収納することができ、他の保守作業員がエスカレータ１０を移動するときの足場としても利用することができる。もちろん、蓋部１２１の上側蓋１２２を反対側にスライドさせても同様の効果が得られる。なお、上記では蓋部１２１は、二枚の蓋を用いて開口２１１を開閉するものとして説明するが、一枚の蓋を用いて開口２１１を開閉してもよく、三枚以上の蓋を用いて開口２１１を開閉しても同様の効果が得られる。
【００２７】
次に、図４を参照して本発明の第３実施形態であるエスカレータ用作業箱２２０について説明する。図４は、本発明の第３実施形態であるエスカレータ用作業箱２２０の斜視図である。ここで、エスカレータ用作業箱２２０は、上記第１実施形態のエスカレータ用作業箱２０とほぼ同様の構成を有するため、同一構成要素には同一符号を付して重複することとなる説明を援用によって省略し、異なる構成およびその作用について説明する。エスカレータ用作業箱２２０は、収納部２２４と蓋部２２１と駆動部２３０について相違するため、以下では、特に、収納部２２４と蓋部２２１と駆動部２３０ついて詳細な説明を行う。
【００２８】
収納部２２４は、保守作業に使用する工具を内部に収納するための開口が設けられる位置が収納部２４と異なり、図１に示されるステップ軸７，９に取り付けた場合に下層階側に配置される側面に開口３１１が設けられる。
【００２９】
蓋部２２１は、上側蓋２２２と下側蓋２２３と枠部２２６と上側案内溝２２５と下側案内溝２２７と取付部材案内溝２２９とを含んで構成される。蓋部２２１は、蓋部１２１とほとんど同じ構成であり、その相違は大きさが異なる点と、取付部材２８のステップ８の踏板床面と垂直方向への移動を案内する取付部材案内溝２２９とを含む点である。
【００３０】
駆動部２３０は、棒部材２３２と、ギア２３３と、モータ２３１とを含んで構成される。棒部材２３２は、取付部材２８をステップ８の踏板床面と垂直方向に移動させるために外周にねじ切りされたネジ棒からなる。ギア２３３は、棒部材２３２のねじ切りされた部分に噛み合った状態で回転し、棒部材２３２をステップ８の踏板床面と垂直方向に沿って移動させるために棒部材２３２を挟持するように配置され、それらが複数個設けられている。モータ２３１は、それぞれのギア２３３を回転させるために設けられる回転電機であり、制御部８０の制御により回転する。
【００３１】
制御部８０は、エスカレータ用作業箱２２０が取り付けられるステップ軸７，９のステップ８の踏板床面と垂直方向の間隔の変化に応じて、収納部２２４の底面がステップ８の踏板床面と水平状態を保つよう取付部材２８を移動させるためにモータ２３１を制御する機能を有する。具体的には、エスカレータ用作業箱２２０が取り付けられるステップ軸７，９を予め特定している場合に、制御部８０は、ステップ８を移動させるために回転するエスカレータ１０のステップ駆動装置（図示しないが制御部８０と無線通信による通信が可能である）によってステップ軸７，９のエスカレータ１０における位置に対応する回転角度を抽出する。そして、その回転角度からステップ軸７，９の位置を検出し、ステップ軸７，９の位置と予め関連づけられたステップ８の踏板床面と垂直方向の間隔を算出する。これにより、収納部２２４の底面がステップ８の踏板床面と水平状態を保つよう取付部材２８を移動させるためにモータ２３１の必要回転量を算出して、その必要回転量に応じて回転制御を行う機能を有する。なお、上記では、エスカレータ用作業箱２２０が取り付けられるステップ軸７，９は予め特定するものとして説明したが、各ステップ軸への取付部材２６，２８の取り付けによる押圧力を検出する押圧検出スイッチを設けてエスカレータ用作業箱２２０の取り付けられたステップ軸を特定して回転角度を取得してもよい。
【００３２】
続いて、上記構成からなるエスカレータ用作業箱２２０の動作について図１と図４と図５を参照して説明する。エスカレータ１０の保守作業において、図１に示されるエスカレータ用作業箱２０の代わりにエスカレータ用作業箱２２０を取り付ける。エスカレータ用作業箱２２０においても、エスカレータ１０の保守作業用の工具等を収納することができ、他の保守作業員がエスカレータ１０を移動するときの足場としても利用することができるという効果を有する。図５は、ステップ軸の軸方向から見たステップ軸７，９とエスカレータ用作業箱２２０との関係を示す図である。図５に示されるように、エスカレータ用作業箱２２０が取り付けられるステップ軸７，９がｂとｃに位置するときのステップ軸７，９のステップ８の踏板床面と垂直方向の間隔は０である。同様に、ステップ軸７，９がｄとｅに位置するときのステップ８の踏板床面と垂直方向の間隔はｈ1であり、ステップ軸７，９がｆとｇに位置するときのステップ８の踏板床面と垂直方向の間隔はｈ2である。制御部８０は、ステップ８の踏板床面と垂直方向の間隔に基づいて収納部２２４の底面がステップ８の踏板床面と水平状態を保つよう取付部材２８を移動させるためにモータ２３１の必要回転量を算出して回転制御を行う。これにより、エスカレータ用作業箱２２０に工具等を収納したままステップ８を可動させた場合であっても、エスカレータ用作業箱２２０から工具等が落下してしまうことを防止することができる。
【図面の簡単な説明】
【００３３】
【図１】本発明の第１実施形態であるエスカレータ用作業箱を蓋部が閉じられた状態でエスカレータに取り付けられている様子を示す図である。
【図２】エスカレータ用作業箱を蓋部が開かれた状態でエスカレータに取り付けられている様子を示す図である。
【図３】本発明の第２実施形態であるエスカレータ用作業箱の斜視図である。
【図４】本発明の第３実施形態であるエスカレータ用作業箱の斜視図である。
【図５】ステップ軸の軸方向から見たステップ軸とエスカレータ用作業箱との関係を示す図である。
【符号の説明】
【００３４】
４  ハンドレール、６  欄干、７，９  ステップ軸、８  ステップ、１０  エスカレータ、２０，１２０，２２０  エスカレータ用作業箱、２１，２１１，３１１  開口、２２，１２１，２２１  蓋部、２３  掛止部、２４，２２４  収納部、２５  蝶番、２６，２８  取付部材、８０  制御部、１２２，２２２  上側蓋、１２３，２２３  下側蓋、１２４，２２６  枠部、１２５，２２５  上側案内溝、１２７，２２７  下側案内溝、２１２  裏面、２１４  内側側面、２２９  取付部材案内溝、２３０  駆動部、２３１  モータ、２３２  棒部材、２３３  ギア。
【図１】
0005053171.tif 000002
【図２】
0005053171.tif 000003
【図３】
0005053171.tif 000004
【図４】
0005053171.tif 000005
【図５】
0005053171.tif 000006